(57)【要約】【課題】  部品点数の削減による製造コストの低減及び薄型化を図る。【解決手段】  表示面に画像が表示されるディスプレイと、ディスプレイにおける表示面の反対の面側に配置されるバックシャーシとを備え、バックシャーシにディスプレイを保持するディスプレイ保持部を設けた。  これにより筐体の構造としてディスプレイを保持するミドルシャーシを設ける必要がなく、部品点数の削減による製造コストの低減及び薄型化を図ることができる。【選択図】        図２
2013195892.tif 000002
【特許請求の範囲】
【請求項１】
表示面に画像が表示されるディスプレイと、
前記ディスプレイにおける表示面の反対の面側に配置されるバックシャーシとを備え、
前記バックシャーシに前記ディスプレイを保持するディスプレイ保持部を設けた
表示装置。
【請求項２】
枠状に形成されると共に前記バックシャーシに取り付けられて前記ディスプレイの外周部を前記ディスプレイ保持部に押し付けるベゼルが設けられた
請求項１に記載の表示装置。
【請求項３】
前記ディスプレイと前記ディスプレイ保持部の間にクッションが配置され、
前記ディスプレイが前記クッションを介して前記ディスプレイ保持部に押し付けられて保持された
請求項１に記載の表示装置。
【請求項４】
前記ディスプレイと前記バックシャーシの間に前記ディスプレイへ向かう光を制御する光学シートが配置され、
前記バックシャーシに前記光学シートを保持するシート保持部が一体に設けられた
請求項１に記載の表示装置。
【請求項５】
前記光学シートに被保持孔が形成され、
前記シート保持部が前記ディスプレイ側へ突出された突状に設けられ、
前記被保持孔に前記シート保持部が挿入されて前記光学シートが前記バックシャーシに保持されるようにした
請求項４に記載の表示装置。
【請求項６】
前記ディスプレイに入射される光を出射するランプが配置され、
前記ランプから出射された光を前記ディスプレイへ向けて反射する反射シートが前記バックシャーシに取り付けられ、
前記バックシャーシに前記反射シートを取り付けるシート取付部が一体に設けられた
請求項１に記載の表示装置。
【請求項７】
前記バックシャーシに取り付けられ前記ランプを保持するランプホルダーが設けられ、
前記シート取付部に前記ランプホルダーが取り付けられた
請求項６に記載の表示装置。
【請求項８】
前記ディスプレイと前記バックシャーシの間に前記ランプから出射される光を制御する光制御部材が配置され、
前記ランプホルダーに前記光制御部材を押さえる押さえ突部が設けられた
請求項７に記載の表示装置。
【発明の詳細な説明】
【技術分野】
【０００１】
本技術は、表示装置についての技術分野に関する。詳しくは、バックシャーシにディスプレイを保持するディスプレイ保持部を設けて筐体の構造における部品点数の削減による製造コストの低減及び薄型化を図る技術分野に関する。
【背景技術】
【０００２】
テレビジョン受像器やパーソナルコンピューター等の表示装置には、画像が表示される表示面を有するディスプレイが設けられている。
【０００３】
このような表示装置においては、筐体にディスプレイや光学シート等の各部が保持されている（例えば、特許文献１参照）。
【０００４】
特許文献１に記載された表示装置にあっては、筐体の構造として前側から順にベゼルと称される枠体（特許文献１においては「トップシャーシ」）、ミドルシャーシと称される枠体（特許文献１においては「アッパーモールド」又は「ミドルモールド」）及びバックシャーシ（特許文献１においては「ボトムモールド」）が設けられている。
【０００５】
ベゼルとミドルシャーシによってディスプレイが前後から挟持されて保持され、ミドルシャーシとバックシャーシの間に光学シートや拡散板やランプ（バックライト）等が配置されている。
【０００６】
【特許文献１】特開２００６−１８５９０８号公報
【発明の開示】
【発明が解決しようとする課題】
【０００７】
ところが、特許文献１に記載された表示装置にあっては、ベゼルやバックシャーシに加えて両者の間にミドルシャーシが配置されディスプレイがベゼルとミドルシャーシによって保持されている。
【０００８】
従って、筐体の構造としてミドルシャーシが存在する分、部品点数が多く製造コストが高いと共に薄型化にも支障を来たしている。
【０００９】
そこで、本技術表示装置は、上記した課題を解決し、部品点数の削減による製造コストの低減及び薄型化を図ることを課題とする。
【課題を解決するための手段】
【００１０】
第１に、表示装置は、上記した課題を解決するために、表示面に画像が表示されるディスプレイと、前記ディスプレイにおける表示面の反対の面側に配置されるバックシャーシとを備え、前記バックシャーシに前記ディスプレイを保持するディスプレイ保持部を設けたものである。
【００１１】
従って、表示装置にあっては、バックシャーシに設けられたディスプレイ保持部によってディスプレイが保持される。
【００１２】
第２に、上記した表示装置においては、枠状に形成されると共に前記バックシャーシに取り付けられて前記ディスプレイの外周部を前記ディスプレイ保持部に押し付けるベゼルが設けられることが望ましい。
【００１３】
枠状に形成されると共にバックシャーシに取り付けられてディスプレイの外周部をディスプレイ保持部に押し付けるベゼルが設けられることにより、ディスプレイがベゼルとバックシャーシ４の間において保持される。
【００１４】
第３に、上記した表示装置においては、前記ディスプレイと前記ディスプレイ保持部の間にクッションが配置され、前記ディスプレイが前記クッションを介して前記ディスプレイ保持部に押し付けられて保持されることが望ましい。
【００１５】
ディスプレイとディスプレイ保持部の間にクッションが配置され、ディスプレイがクッションを介してディスプレイ保持部に押し付けられて保持されることにより、ディスプレイがクッションに接触された状態でディスプレイ保持部に保持される。
【００１６】
第４に、上記した表示装置においては、前記ディスプレイと前記バックシャーシの間に前記ディスプレイへ向かう光を制御する光学シートが配置され、前記バックシャーシに前記光学シートを保持するシート保持部が一体に設けられることが望ましい。
【００１７】
ディスプレイとバックシャーシの間にディスプレイへ向かう光を制御する光学シートが配置され、バックシャーシに光学シートを保持するシート保持部が一体に設けられることにより、光学シートを保持する専用の部材を必要としない。
【００１８】
第５に、上記した表示装置においては、前記光学シートに被保持孔が形成され、前記シート保持部が前記ディスプレイ側へ突出された突状に設けられ、前記被保持孔に前記シート保持部が挿入されて前記光学シートが前記バックシャーシに保持されるようにすることが望ましい。
【００１９】
光学シートに被保持孔が形成され、シート保持部がディスプレイ側へ突出された突状に設けられ、被保持孔にシート保持部が挿入されて光学シートがバックシャーシに保持されるようにすることにより、被保持孔へのシート保持部の挿入により光学シートの保持作業が行われる。
【００２０】
第６に、上記した表示装置においては、前記ディスプレイに入射される光を出射するランプが配置され、前記ランプから出射された光を前記ディスプレイへ向けて反射する反射シートが前記バックシャーシに取り付けられ、前記バックシャーシに前記反射シートを取り付けるシート取付部が一体に設けられることが望ましい。
【００２１】
ディスプレイに入射される光を出射するランプが配置され、ランプから出射された光をディスプレイへ向けて反射する反射シートがバックシャーシに取り付けられ、バックシャーシに反射シートを取り付けるシート取付部が一体に設けられることにより、バックシャーシに反射シートを取り付けるための専用の部材を必要としない。
【００２２】
第７に、上記した表示装置においては、前記バックシャーシに取り付けられ前記ランプを保持するランプホルダーが設けられ、前記シート取付部に前記ランプホルダーが取り付けられることが望ましい。
【００２３】
バックシャーシに取り付けられランプを保持するランプホルダーが設けられ、シート取付部にランプホルダーが取り付けられることにより、シート取付部に反射シートとランプホルダーの双方が取り付けられる。
【００２４】
第８に、上記した表示装置においては、前記ディスプレイと前記バックシャーシの間に前記ランプから出射される光を制御する光制御部材が配置され、前記ランプホルダーに前記光制御部材を押さえる押さえ突部が設けられることが望ましい。
【００２５】
ディスプレイとバックシャーシの間にランプから出射される光を制御する光制御部材が配置され、ランプホルダーに光制御部材を押さえる押さえ突部が設けられることにより、光制御部材を押さえて位置を定めるための専用の部材を必要としない。
【発明の効果】
【００２６】
本技術表示装置は、表示面に画像が表示されるディスプレイと、前記ディスプレイにおける表示面の反対の面側に配置されるバックシャーシとを備え、前記バックシャーシに前記ディスプレイを保持するディスプレイ保持部を設けている。
【００２７】
従って、筐体の構造としてディスプレイを保持するミドルシャーシを設ける必要がなく、部品点数の削減による製造コストの低減及び薄型化を図ることができる。
【００２８】
請求項２に記載した技術にあっては、枠状に形成されると共に前記バックシャーシに取り付けられて前記ディスプレイの外周部を前記ディスプレイ保持部に押し付けるベゼルが設けられている。
【００２９】
従って、ディスプレイを確実に保持することができると共にディスプレイの保持状態の安定化を図ることができる。
【００３０】
請求項３に記載した技術にあっては、前記ディスプレイと前記ディスプレイ保持部の間にクッションが配置され、前記ディスプレイが前記クッションを介して前記ディスプレイ保持部に押し付けられて保持されている。
【００３１】
従って、ディスプレイの安定した保持状態を確保することができると共にディスプレイの割れや損傷を防止することができる。
【００３２】
請求項４に記載した技術にあっては、前記ディスプレイと前記バックシャーシの間に前記ディスプレイへ向かう光を制御する光学シートが配置され、前記バックシャーシに前記光学シートを保持するシート保持部が一体に設けられている。
【００３３】
従って、光学シートを保持する専用の部材を必要とせず、部品点数の削減による製造コストの低減を図ることができる。
【００３４】
請求項５に記載した技術にあっては、前記光学シートに被保持孔が形成され、前記シート保持部が前記ディスプレイ側へ突出された突状に設けられ、前記被保持孔に前記シート保持部が挿入されて前記光学シートが前記バックシャーシに保持されるようにしている。
【００３５】
従って、光学シートを保持するための作業が容易であり、作業性の向上による製造コストの低減を図ることができる。
【００３６】
請求項６に記載した技術にあっては、前記ディスプレイに入射される光を出射するランプが配置され、前記ランプから出射された光を前記ディスプレイへ向けて反射する反射シートが前記バックシャーシに取り付けられ、前記バックシャーシに前記反射シートを取り付けるシート取付部が一体に設けられている。
【００３７】
従って、バックシャーシに反射シートを取り付けるための専用の部材を必要とせず、部品点数の削減を図ることができると共に反射シートのバックシャーシに対する取付作業を容易に行うことができる。
【００３８】
請求項７に記載した技術にあっては、前記バックシャーシに取り付けられ前記ランプを保持するランプホルダーが設けられ、前記シート取付部に前記ランプホルダーが取り付けられている。
【００３９】
従って、シート取付部に反射シートとランプホルダーの双方が取り付けられるため、ランプホルダーをバックシャーシに取り付けるための専用の取付部が不要であり、部品点数の削減による製造コストの低減を図ることができる。
【００４０】
請求項８に記載した技術にあっては、前記ディスプレイと前記バックシャーシの間に前記ランプから出射される光を制御する光制御部材が配置され、前記ランプホルダーに前記光制御部材を押さえる押さえ突部が設けられている。
【００４１】
従って、光制御部材を押さえて位置を定めるための専用の部材を必要とせず、部品点数を増やすことなく拡散板の位置を定めることができ、製造コストの低減を図った上で拡散板の良好な光学性能を確保することができる。
【発明を実施するための最良の形態】
【００４２】
以下に、本技術表示装置を実施するための最良の形態を添付図面に従って説明する。
【００４３】
以下に示した最良の形態は、本技術表示装置を、ディスプレイに設けられた液晶パネルに画像を表示するテレビジョン受像器に適用したものである。
【００４４】
尚、本技術の適用範囲は液晶パネルを有するテレビジョン受像器に限られることはなく、ディスプレイの種類を問わず他の各種のテレビジョン受像器やパーソナルコンピューター等に用いられるモニター等の各種の表示装置に広く適用することができる。
【００４５】
［表示装置の構成］
表示装置（テレビジョン受像器）１は、例えば、横長の扁平な略矩形状に形成され、筐体２に所要の各部が配置されている（図１乃至図３参照）。表示装置１は、例えば、図示しないスタンドによって保持される。
【００４６】
筐体２は前側に位置されたベゼル３と後側に位置されたバックシャーシ４とを有している。
【００４７】
ベゼル３は略矩形の枠状に形成されている。尚、ベゼル３は上下左右の４辺が独立して四つの部材として設けられ、これらの四つの部材が結合されて枠状に形成されていてもよい。
【００４８】
バックシャーシ４は前方に開口された浅い箱状に形成され、図４及び図５に示すように、前後方向を向く矩形のベース面部５とベース面部５の外周縁から前方へ行くに従って外方へ変位するように傾斜された状態で突出された側面部６、６、・・・と側面部６、６、・・・の前縁に連続された枠状部７とが一体に形成されて成る。
【００４９】
ベース面部５の前面５ａにはシート取付部８、８、・・・と位置決め突部９、９、・・・がベース面部５と一体に設けられている（図６参照）。
【００５０】
シート取付部８は前面５ａから前方へ突出された基部８ａと基部８ａの前端部から側方へ突出された押さえ部８ｂとから成る。
【００５１】
位置決め突部９、９、・・・は二つずつがそれぞれシート取付部８、８、・・・の近傍において上下に離隔して位置され、前面５ａから前方へ突出されて設けられている。
【００５２】
枠状部７の内周部には前方に開口されたディスプレイ保持部１０が設けられている（図４、図５及び図７参照）。ディスプレイ保持部１０は、前方へ突出された矩形の外枠部１０ａと、外枠部１０ａの内側に位置され前方へ突出された矩形の内枠部１０ｂと、外枠部１０ａと内枠部１０ｂの間に位置され前方へ突出された複数のリブ部１０ｃ、１０ｃ、・・・とを有している。リブ部１０ｃは両端がそれぞれ外枠部１０ａの内面と内枠部１０ｂの外面とに連続され、前面が外枠部１０ａと内枠部１０ｂの各前面より稍後方に位置されている。
【００５３】
枠状部７にはディスプレイ保持部１０の外周側に略枠状の周壁部１１が設けられている。周壁部１１は前方へ突出され、上方側に位置する部分に囲い壁１１ａ、１１ａ、・・・が左右に離隔して設けられている。囲い壁１１ａは下方に開口されたコ字状に形成されている。
【００５４】
枠状部７には囲い壁１１ａ、１１ａ、・・・に囲まれた部分にそれぞれ前方へ突出されたシート保持部１２、１２、・・・が設けられている。シート保持部１２、１２、・・・はディスプレイ保持部１０の外側に位置されている。
【００５５】
枠状部７の下端寄りの位置には受け突部１３、１３、・・・が左右に離隔して設けられている（図８参照）。受け突部１３は外枠部１０ａよりも前側へ突出した状態で設けられ、外枠部１０ａの前端に連続する前上がりの傾斜面１３ａを有している。
【００５６】
バックシャーシ４におけるベース面部５の後面には図示しない回路基板が取り付けられる。回路基板は後述するディスプレイへの電流の供給や後述するランプユニットへの駆動電流の供給等を行うと共に表示装置１の全体の制御を行う制御回路として機能する。
【００５７】
ベース面部５の後面には回路基板を閉塞するリアカバー１４がネジ止め等によって取り付けられる（図１乃至図３参照）。リアカバー１４は前方に開口された浅い箱状に形成され、バックシャーシ４の下端側の部分に取り付けられる。
【００５８】
バックシャーシ４の前面には反射シート１５が取り付けられる（図２及び図３参照）。反射シート１５は、例えば、白色に施され、前後方向を向く矩形状のベース部１６とベース部１６の右側縁及び前後両縁にそれぞれ連続された傾斜部１７、１７、１７とから成る。
【００５９】
ベース部１６には何れもコ字状のスリットによって囲まれた被取付部１６ａ、１６ａ、・・・と位置決め部１６ｂ、１６ｂ、・・・が形成されている（図９参照）。位置決め部１６ｂ、１６ｂ、・・・は二つずつがそれぞれ被取付部１６ａ、１６ａ、・・・の近傍において上下に離隔して位置されている。
【００６０】
被取付部１６ａ、１６ａ、・・・と位置決め部１６ｂ、１６ｂ、・・・は何れも反射シート１５の一部が捲りあげられて前方に突出した状態にされている。従って、反射シート１５には被取付部１６ａ、１６ａ、・・・と位置決め部１６ｂ、１６ｂ、・・・によって挿通孔が形成されている。
【００６１】
反射シート１５は被取付部１６ａ、１６ａ、・・・によって形成された挿通孔にそれぞれベース面部５に設けられたシート取付部８、８、・・・が挿入されてバックシャーシ４に取り付けられる（図１０参照）。このとき位置決め部１６ｂ、１６ｂ、・・・によって形成された挿通孔にそれぞれベース面部５に設けられた位置決め用突部９、９、・・・が挿入されてバックシャーシ４に対する反射シート１５の位置決めが行われる。
【００６２】
反射シート１５がバックシャーシ４に取り付けられた状態においては、被取付部１６ａ、１６ａ、・・・がそれぞれシート取付部８、８、・・・の一部に接し、位置決め部１６ｂ、１６ｂ、・・・がそれぞれ位置決め用突部９、９、・・・の一部に接する。また、ベース部１６がベース面部５の前面５ａに接した状態で配置されると共に傾斜部１７、１７、１７がそれぞれ側面部６、６、６に接した状態で配置される。
【００６３】
上記したように、バックシャーシ４には反射シート１５を取り付けるシート取付部８、８、・・・が一体に設けられている。
【００６４】
従って、バックシャーシ４に反射シート１５を取り付けるための専用の部材を必要とせず、部品点数の削減を図ることができると共に反射シート１５のバックシャーシ４に対する取付作業を容易に行うことができる。
【００６５】
また、反射シート１５によってバックシャーシ４のベース面部５と側面部６、６、６の略全面が覆われるため、反射シート１５による高い反射効率を確保することができる。特に、反射シート１５が白色に施されているため、例えば、バックシャーシ４が白色以外の黒色等によって形成されている場合に、高い反射効率を確保する上で反射シート１５が有効に機能する。
【００６６】
ベース面部５に設けられたシート取付部８、８、・・・にはそれぞれランプホルダー１８、１８、・・・が取り付けられる（図２及び図３参照）。
【００６７】
ランプホルダー１８は、例えば、白色の樹脂材料によって形成され、連結部１９とランプ保持部２０、２０と脚部２１、２１と支え部２２と押さえ突部２３が一体に形成されて成る（図１７参照）。
【００６８】
連結部１９は上下に延びる棒状に形成されている。
【００６９】
ランプ保持部２０、２０は連結部１９の上下両端にそれぞれ連続して設けられている。ランプ保持部２０は前方に開口された略円弧状に形成された挿入保持部２０ａと挿入保持部２０ａの各前端部に連続して設けられた案内部２０ｂ、２０ｂとから成り、案内部２０ｂ、２０ｂは前方へ行くに従って上下方向において互いに離隔するように傾斜されている。ランプ保持部２０は案内部２０ｂ、２０ｂが離接するように挿入保持部２０ａが弾性変形可能とされている。
【００７０】
脚部２１、２１は連結部１９から後方へ突出され、上下に離隔して設けられている。
【００７１】
支え部２２は脚部２１、２１の後端に連続されて設けられ、脚部２１、２１の後端を連結する状態で設けられている。
【００７２】
押さえ突部２３は連結部１９から前方へ突出された先細りの棒状に形成されている。
【００７３】
ランプホルダー１８はバックシャーシ４に反射シート１５が取り付けられた状態において、支え部２２の一部がベース面部５の前面５ａとシート取付部８の押さえ部８ｂとの間に挿入されて嵌合され、ベース面部５に取り付けられる（図１２参照）。
【００７４】
ランプホルダー１８、１８、・・・にはランプユニット２４が保持される（図２及び図３参照）。ランプユニット２４は上下に延びる電極部２５にバックライトとして機能するランプ２６、２６、・・・が接続されて構成されている。ランプ２６、２６、・・・としては、例えば、冷陰極蛍光管（ＣＣＦＬ：Cold Cathode Fluorescent Lamp）が用いられ、ランプ２６、２６、・・・は左右に長いＵ字状に形成されている。
【００７５】
尚、ランプは冷陰極蛍光管に限られることはなく、発光ダイオード（ＬＥＤ: Light Emitting Diode）等の他の種類のランプであってもよい。
【００７６】
ランプユニット２４はランプ２６、２６、・・・がそれぞれランプホルダー１８、１８、・・・のランプ保持部２０、２０、・・・に挿入されて保持される（図１３参照）。ランプ２６のランプ保持部２０による保持は、ランプ２６が案内部２０ｂ、２０ｂに案内されて挿入保持部２０ａに挿入されるときに挿入保持部２０ａが押し広げられて弾性変形され、ランプ２６が挿入保持部２０ａに挿入されたときに挿入保持部２０ａが弾性復帰することにより行われる。
【００７７】
ランプユニット２４の電極部２５はバックシャーシ４の左端部に配置される（図１４参照）。電極部２５はバックシャーシ４の後面に取り付けられた回路基板に接続され、回路基板の電源回路から電極部２５に駆動電流が供給されてランプ２６、２６、・・・が発光される。
【００７８】
上記したように、表示装置１にあっては、反射シート１５を取り付けるシート取付部８、８、・・・にランプホルダー１８、１８、・・・が取り付けられる。
【００７９】
従って、シート取付部８、８、・・・に反射シート１５とランプホルダー１８、１８、・・・の双方が取り付けられるため、ランプホルダー１８、１８、・・・をバックシャーシ４に取り付けるための専用の取付部が不要であり、部品点数の削減による製造コストの低減を図ることができる。
【００８０】
また、上記したように、ランプホルダー１８、１８、・・・は白色の材料によって形成されている。従って、ランプ２６、２６、・・・から出射された光がランプホルダー１８、１８、・・・で反射され易く、後述するディスプレイに対する入射光率の向上を図ることができると共に反射性の低い材料が露出することに起因する輝度の不均一性を防止することができる。
【００８１】
ランプユニット２４の前側には拡散板２７が配置される（図２及び図３参照）。拡散板２７はランプ２６、２６、・・・から出射された光を拡散して輝度の均一性を図る機能を有する光制御部材として用いられている。拡散板２７はバックシャーシ４に設けられたディスプレイ保持部１０の内側に配置される。
【００８２】
拡散板２７が配置された状態においては、拡散板２７の後面に近接してランプホルダー１８、１８、・・・の押さえ突部２３、２３、・・・の先端が位置され、拡散板２７の変形（撓み）が一定の範囲で規制される。
【００８３】
従って、ランプ２６を保持するランプホルダー１８に押さえ突部２３を設けることにより、拡散板２７を押さえて位置を定めるための専用の部材を必要とせず、部品点数を増やすことなく拡散板２７の位置を定めることができ、製造コストの低減を図った上で拡散板２７の良好な光学性能を確保することができる。
【００８４】
拡散板２７の前側には光学シート２８、２８が配置される。光学シート２８、２８は光の拡散機能や光の進行方向の制御等の各機能を有し、光学シート２８、２８によって輝度の均一性や輝度の向上等が図られる。
【００８５】
尚、上記には、２枚の光学シート２８、２８が設けられた例を示したが、光学シート２８の枚数は任意に設定することが可能である。
【００８６】
光学シート２８は矩形状の機能面部２９と機能面部２９の上縁からそれぞれ上方へ突出された突面部３０、３０、・・・とから成り、突面部３０、３０、・・・は左右に離隔して設けられている。突面部３０には被保持孔３０ａが形成されている（図１５参照）。
【００８７】
光学シート２８、２８は前後で重ねられた状態で被保持孔３０ａ、３０ａ、・・・にそれぞれシート保持部１２、１２、・・・が挿入されてバックシャーシ４に保持される（図１６参照）。
【００８８】
光学シート２８、２８がバックシャーシ４に保持された状態においては、光学シート２８、２８の下縁がバックシャーシ４に設けられた受け突部１３、１３、・・・の傾斜面１３ａ、１３ａ、・・・の後端部に係合され、光学シート２８、２８の前後方向における位置決めが行われる（図１７参照）。従って、光学シート２８、２８がバックシャーシ４に安定した状態で保持される。
【００８９】
また、光学シート２８、２８がバックシャーシ４に保持された状態においては、光学シート２８、２８の機能面部２９、２９がディスプレイ保持部１０の内側に位置され、拡散板２７の前面に接触又は近接した状態にされる。
【００９０】
上記したように、表示装置１にあっては、バックシャーシ４に光学シート２８、２８を保持するシート保持部１２、１２、・・・が一体に設けられている。
【００９１】
従って、光学シート２８、２８を保持する専用の部材を必要とせず、部品点数の削減による製造コストの低減を図ることができる。
【００９２】
また、突面部３０、３０、・・・に形成された被保持孔３０ａ、３０ａ、・・・にそれぞれシート保持部１２、１２、・・・が挿入されて光学シート２８、２８がバックシャーシ４に保持される。
【００９３】
従って、光学シート２８、２８を保持するための作業が容易であり、作業性の向上による製造コストの低減を図ることができる。
【００９４】
バックシャーシ４のディスプレイ保持部１０にはディスプレイ３１が保持される（図２及び図３参照）。ディスプレイ３１は、例えば、ガラス基板や偏光シート等が積層されて成る液晶パネルであり、前面が画像が表示される表示面３１ａとして形成されている。
【００９５】
ディスプレイ３１は略矩形状に形成され、下端部に接続端子部３１ｂを有している。ディスプレイ３１は外周部以外の部分が画像が表示される表示領域として設けられている。
【００９６】
ディスプレイ３１は外周部が枠状に形成されたクッション３２を介してディスプレイ保持部１０のリブ部１０ｃ、１０ｃ、・・・に押し付けられて保持される（図１８参照）。ディスプレイ３１が保持された状態において、接続端子部３１ｂがバックシャーシ４の後面に取り付けられた回路基板に接続される。
【００９７】
上記のように、クッション３２を介してディスプレイ３１がディスプレイ保持部１０に押し付けられることにより、ディスプレイ３１の安定した保持状態を確保することができると共にディスプレイ３１の割れや損傷を防止することができる。
【００９８】
ディスプレイ３１の外周寄りの部分と光学シート２８の外周部との間には枠状のスペーサー３３が配置され、ディスプレイ３１と光学シート２８の間の適正な距離が確保されている。
【００９９】
ディスプレイ３１の上下両端部には前側からそれぞれ横長の形状に形成された押さえ板３４、３４が配置される（図２、図３及び図１８参照）。
【０１００】
バックシャーシ４の枠状部７にはベゼル３が取り付けられる。ベゼル３の枠状部７に対する取付は、例えば、ネジ止めや接着等の適宜の手段によって行われる。枠状部７にベゼル３が取り付けられることにより、ディスプレイ３１の外周部が押さえ板３４、３４を介してベゼル３によって押さえられ、ディスプレイ３１がベゼル３とバックシャーシ４の間において保持される。尚、ディスプレイ３１は、押さえ板３４、３４が設けられない状態でベゼル３によって押さえられて保持されてもよい。
【０１０１】
このようにディスプレイ３１の外周部をディスプレイ保持部１０に押し付けるベゼル３が設けられることにより、ディスプレイ３１を確実に保持することができると共にディスプレイ３１の保持状態の安定化を図ることができる。
【０１０２】
［変形例］
以下に、光学シートを保持するシート保持部の変形例について説明する（図１９乃至図２１参照）。
【０１０３】
変形例に係るシート保持部１２Ａ、１２Ａ、・・・はバックシャーシ４Ａの左右両側部において、それぞれディスプレイ保持部１０の内枠部１０ｂに連続して上下に離隔して設けられている（図１９参照）。シート保持部１２Ａ、１２Ａ、・・・は側方（内方）に突出して設けられており、シート保持部１２Ａ、１２Ａ、・・・の後側にはそれぞれ光学シート２８Ａ、２８Ａの合計した厚みに適切なクリアランスを考慮した隙間３５、３５、・・・が形成されている。
【０１０４】
光学シート２８Ａ、２８Ａには突面部３０、３０、・・・が設けられておらず、機能面部２９Ａ、２９Ａの左右両側部にそれぞれ外方に開口された切欠２９ａ、２９ａ、・・・が上下に離隔して形成されている（図２０参照）。
【０１０５】
光学シート２８Ａ、２８Ａは重ねられた状態で切欠２９ａ、２９ａ、・・・にそれぞれシート保持部１２Ａ、１２Ａ、・・・が挿入されるようにバックシャーシ４Ａに配置され、次いで、下方へスライドされる（図２１参照）。光学シート２８Ａ、２８Ａがスライドされることにより、光学シート２８Ａ、２８Ａの左右両側部がそれぞれ隙間３５、３５、・・・に挿入されシート保持部１２Ａ、１２Ａ、・・・によって押さえられて保持される。
【０１０６】
このようにシート保持部１２Ａ、１２Ａ、・・・が設けられた場合には、切欠２９ａ、２９ａ、・・・にシート保持部１２Ａ、１２Ａ、・・・を挿入し光学シート２８Ａ、２８Ａをスライドするだけで光学シート２８Ａ、２８Ａがシート保持部１２Ａ、１２Ａ、・・・に保持される。
【０１０７】
従って、光学シート２８Ａ、２８Ａの保持を容易に行うことができ、光学シート２８Ａ、２８Ａのバックシャーシ４Ａに対する保持を行うときの作業性の向上を図ることができる。
【０１０８】
尚、上記には、シート保持部１２Ａ、１２Ａ、・・・がバックシャーシ４Ａの左右両側部に設けられた例を示したが、シート保持部１２Ａ、１２Ａ、・・・はバックシャーシ４Ａの上下両側部に設けられてもよい。この場合には光学シート２８Ａ、２８Ａが左右方向にスライドされてシート保持部１２Ａ、１２Ａ、・・・に保持される。
【０１０９】
次に、バックシャーシの変形例について説明する（図２２乃至図２４参照）。
【０１１０】
変形例に係るバックシャーシ４Ｂは弾性変形可能な材料によって形成され、枠状部７Ｂにおける上下両側に押さえ突部７ａ、７ｂが設けられている。押さえ突部７ａ、７ｂはディスプレイ保持部１０の前側に離隔して位置されている。押さえ突部７ａの前面側には後方へ行くに従って下方へ変位する傾斜面７ｃが形成されている。
【０１１１】
押さえ突部７ａとディスプレイ保持部１０の間には下方に開口された係合溝７ｄが形成され、押さえ突部７ｂとディスプレイ保持部１０の間には上方に開口された係合溝７ｅが形成されている。
【０１１２】
ディスプレイ３１は傾斜された状態で下端部が係合溝７ｅに挿入され（図２２参照）、上端部が前側から押さえ突部７ａの傾斜面７ｃに押し付けられていく（図２３参照）。ディスプレイ３１の上端部が傾斜面７ｃに押し付けられていくと、ディスプレイ３１の上端部と傾斜面７ｃが摺接され、バックシャーシ４Ｂが弾性変形されていく。ディスプレイ３１の上端部が係合溝７ｄまで押し込まれることにより、ディスプレイ３１の上端部が係合溝７ｄに係合されると共にディスプレイ３１の上下両端部がそれぞれ押さえ突部７ａ、７ｂによってそれぞれ前側から押さえられ、ディスプレイ３１がバックシャーシ４Ｂに保持される（図２４参照）。
【０１１３】
従って、バックシャーシ４Ｂが用いられた場合には、押さえ突部７ａ、７ｂもディスプレイ保持部として機能する。
【０１１４】
このようにバックシャーシ４Ｂには押さえ突部７ａ、７ｂが設けられているため、ベゼル３が不要になり、その分、部品点数の削減による製造コストの低減を図ることができる。
【０１１５】
尚、上記には、バックシャーシ４Ｂの上側に傾斜面７ｃを有する押さえ突部７ａが設けられた例を示したが、下側に位置された押さえ突部７ｂに傾斜面を形成し、ディスプレイ３１は下端部が傾斜面に摺接されてバックシャーシに保持されるようにすることも可能である。
【０１１６】
また、バックシャーシ４Ｂの左右の一方に傾斜面を有する押さえ突部を設け、ディスプレイ３１の左右両端部の一方が傾斜面に摺接されてバックシャーシに保持されるようにすることも可能である。
【０１１７】
［まとめ］
以上に記載した通り、表示装置１にあっては、バックシャーシ４、４Ａ、４Ｂにディスプレイ３１を保持するディスプレイ保持部１０とディスプレイ保持部として機能する押さえ突部７ａ、７ｂが設けられている。
【０１１８】
従って、筐体の構造としてディスプレイ３１を保持するミドルシャーシを設ける必要がなく、部品点数の削減による製造コストの低減及び薄型化を図ることができる。
【０１１９】
［本技術］
本技術は、以下のような構成にすることもできる。
【０１２０】
（１）表示面に画像が表示されるディスプレイと、前記ディスプレイにおける表示面の反対の面側に配置されるバックシャーシとを備え、前記バックシャーシに前記ディスプレイを保持するディスプレイ保持部を設けた表示装置。
【０１２１】
（２）枠状に形成されると共に前記バックシャーシに取り付けられて前記ディスプレイの外周部を前記ディスプレイ保持部に押し付けるベゼルが設けられた前記（１）に記載の表示装置。
【０１２２】
（３）前記ディスプレイと前記ディスプレイ保持部の間にクッションが配置され、前記ディスプレイが前記クッションを介して前記ディスプレイ保持部に押し付けられて保持された前記（１）又は前記（２）に記載の表示装置。
【０１２３】
（４）前記ディスプレイと前記バックシャーシの間に前記ディスプレイへ向かう光を制御する光学シートが配置され、前記バックシャーシに前記光学シートを保持するシート保持部が一体に設けられた前記（１）から前記（３）の何れかに記載の表示装置。
【０１２４】
（５）前記光学シートに被保持孔が形成され、前記シート保持部が前記ディスプレイ側へ突出された突状に設けられ、前記被保持孔に前記シート保持部が挿入されて前記光学シートが前記バックシャーシに保持されるようにした前記（４）に記載の表示装置。
【０１２５】
（６）前記ディスプレイに入射される光を出射するランプが配置され、前記ランプから出射された光を前記ディスプレイへ向けて反射する反射シートが前記バックシャーシに取り付けられ、前記バックシャーシに前記反射シートを取り付けるシート取付部が一体に設けられた前記（１）から前記（５）の何れかに記載の表示装置。
【０１２６】
（７）前記バックシャーシに取り付けられ前記ランプを保持するランプホルダーが設けられ、前記シート取付部に前記ランプホルダーが取り付けられた前記（６）に記載の表示装置。
【０１２７】
（８）前記ディスプレイと前記バックシャーシの間に前記ランプから出射される光を制御する光制御部材が配置され、前記ランプホルダーに前記光制御部材を押さえる押さえ突部が設けられた前記（７）に記載の表示装置。
【０１２８】
上記した技術を実施するための最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１２９】
【図１】図２乃至図２４と共に本技術表示装置を示すものであり、本図は、表示装置の斜視図である。
【図２】表示装置の分解斜視図である。
【図３】表示装置の概略断面図である。
【図４】バックシャーシの斜視図である。
【図５】バックシャーシの正面図である。
【図６】バックシャーシに設けられたシート取付部等を示す拡大斜視図である。
【図７】バックシャーシに設けられたシート保持部等を示す拡大斜視図である。
【図８】バックシャーシに設けられた受け突部等を示す拡大斜視図である。
【図９】シート取付部等と反射シートの一部を示す拡大分解斜視図である。
【図１０】シート取付部に反射シートが取り付けられた状態を示す拡大斜視図である。
【図１１】ランプホルダーの拡大斜視図である。
【図１２】ランプホルダーがシート取付部に取り付けられた状態を示す拡大斜視図である。
【図１３】ランプホルダーにランプが取り付けられた状態を示す拡大斜視図である。
【図１４】ランプホルダーにランプが取り付けられた状態を示す斜視図である。
【図１５】光学シートがシート保持部に保持される前の状態を示す拡大斜視図である。
【図１６】光学シートがシート保持部に保持された状態を示す拡大斜視図である。
【図１７】光学シートが受け突部に保持された状態を示す拡大斜視図である。
【図１８】ディスプレイがクッションを介してディスプレイ保持部に押し付けられた状態を示す拡大斜視図である。
【図１９】図２０及び図２１と共にディスプレイ保持部の変形例を示すものであり、本図は、ディスプレイ保持部を示す拡大斜視図である。
【図２０】切欠にディスプレイ保持部が挿入された状態を示す拡大斜視図である。
【図２１】光学シートがスライドされてディスプレイ保持部に保持された状態を示す拡大斜視図である。
【図２２】図２３及び図２４と共にバックシャーシの変形例を示すものであり、本図は、ディスプレイが保持される前の状態を示す概略断面図である。
【図２３】ディスプレイの上端部が押さえ突部に押し付けられバックシャーシが弾性変形された状態を示す概略断面図である。
【図２４】ディスプレイがバックシャーシに保持された状態を示す概略断面図である。
【符号の説明】
【０１３０】
１…表示装置、３…ベゼル、４…バックシャーシ、８…シート取付部、１０…ディスプレイ保持部、１２…シート保持部、１５…反射シート、１８…ランプホルダー、２３…押さえ突部、２６…ランプ、２７…拡散板（光制御部材）、２８…光学シート、３０ａ…被保持孔、３１…ディスプレイ、３１ａ…表示面、３２…クッション、４Ａ…バックシャーシ、１２Ａ…シート保持部、２８Ａ…光学シート、４Ｂ…バックシャーシ、７ａ…押さえ突部（ディスプレイ保持部）、７ｂ…押さえ突部（ディスプレイ保持部）
【図１】
2013195892.tif 000003
【図２】
2013195892.tif 000004
【図３】
2013195892.tif 000005
【図４】
2013195892.tif 000006
【図５】
2013195892.tif 000007
【図６】
2013195892.tif 000008
【図７】
2013195892.tif 000009
【図８】
2013195892.tif 000010
【図９】
2013195892.tif 000011
【図１０】
2013195892.tif 000012
【図１１】
2013195892.tif 000013
【図１２】
2013195892.tif 000014
【図１３】
2013195892.tif 000015
【図１４】
2013195892.tif 000016
【図１５】
2013195892.tif 000017
【図１６】
2013195892.tif 000018
【図１７】
2013195892.tif 000019
【図１８】
2013195892.tif 000020
【図１９】
2013195892.tif 000021
【図２０】
2013195892.tif 000022
【図２１】
2013195892.tif 000023
【図２２】
2013195892.tif 000024
【図２３】
2013195892.tif 000025
【図２４】
2013195892.tif 000026